(57)【要約】【課題】  子供、高齢者又は女性等でも、釘の素材に関係なく、長さが約１０ｍｍ〜１５ｍｍの短寸釘を板等に手早く、垂直、安全に打ち込める、釘打ち補助具を提供すること。【解決手段】  一端側１ａに斜辺部４、緩斜面５を形成し、その緩斜面５にはＶ字状の切り込み６が設けられ、斜辺部４には半円状の溝４ａが延設され、他端側１ｂには傾斜面７が形成され、その傾斜面７から斜辺部４の内側まで挿通孔８が穿設され、正面３には上面１から下面２にスリット９が設けられ、また他端側１ｂ寄りに溝１０が設けられ、スリット９と溝１０の中間には円形穴１１を設けられた本体部と、スリット９に挿着されるＬ字状金属板１２と、挿通孔８及び円形穴１１に装着される永久磁石１４、１３とよりなる。【選択図】図１
0003109327.tif 000002
【実用新案登録請求の範囲】
【請求項１】
平面視ほぼ矩形状で、一端の内側上面から正面中間部に向けて斜辺部を形成し、
前記斜辺部の最下点から一端の端部までを緩斜面とし、
前記端部から斜辺部の最下点中央に向けてＶ字状の切り込みを設けると共に、その終端部から斜辺部には半円状の溝を延設し、
他端の端部ほぼ中間部から下面内側に向けて傾斜面を形成し、
その傾斜面の中央部から前記斜辺部の内側中央近傍まで挿通孔を穿設し、
正面ほぼ中央近傍には上面から下面に細巾のスリットを垂設すると共に、正面の他端寄りに半円垂直状の溝を上面から傾斜面に設け、
前記スリットと溝のほぼ中間には円形穴を穿設した、本体部と、
前記本体部のスリットに挿着される、平面視ほぼＬ字状の金属板と、
前記本体部の挿通孔及び円形穴に装着される、永久磁石と、
よりなることを特徴とする、釘打ち補助具。
【請求項２】
前記本体部が、軽量、硬質の合成樹脂材又は木材からなることを特徴とする、請求項１記載の釘打ち補助具。
【請求項３】
前記本体部に設けられたＶ字状切り込みの終端部及び斜辺部の内側中央近傍まで穿設された挿通孔の先端部は、垂直となっていることを特徴とする、請求項１ないし請求項２記載の釘打ち補助具。
【考案の詳細な説明】
【技術分野】
【０００１】
本考案は、釘打ち補助具に係り、さらに詳しくは、全長が約１０ｍｍ〜１５ｍｍ位の短寸釘を板、木材等に手早く、垂直かつ安全に打ち込むことができる、釘打ち補助具に関する。
【背景技術】
【０００２】
子供、高齢者又は女性等が１０ｍｍ〜１５ｍｍ位の短寸釘を板、木材等に垂直かつ安全に打ち込むことはかなり困難な作業で、金槌（ハンマー）で釘を打たないで指先を叩打して負傷したり、釘が傾斜して打ち込まれたりすることがある。これを解消するために、何件かの釘打ち補助具または釘保持具等についての提案が開示されている。  
【０００３】
例えば、実開昭６３−１４７２７６は、溝をバネで押えて、この溝に釘を差込み、釘を保持することを特徴としているが、溝への釘の出し入れにバネの弾圧によりかなりの抵抗力があるために円滑な作業とならない。またバネは一端側にネジで止着されているので使用頻度が増すとネジが緩むので、そのたびにドライバー等で固着し直す作業も必要となってくる。
【０００４】
また、実開昭６３−１８２８７５は、本体の両端部にＶ溝を持つ磁石を接着したことを特徴としているが、Ｖ字磁石による釘の立て方は不安定で、垂直に釘を立て難いという欠点がある。
【特許文献１】実開昭６３−１４７２７６号公報
【特許文献２】実開昭６３−１８２８７５号公報
【考案の開示】
【考案が解決しようとする課題】
【０００５】
本考案の目的は、上記の特許文献１及び特許文献２などの問題点を解決し、子供、高齢者又は女性等でも、釘の素材に関係なく、全長が約１０ｍｍ〜１５ｍｍ位の短寸釘を板、木材等に手早く、垂直かつ安全に打ち込むことができる、釘打ち補助具を提供することにある。
【課題を解決するための手段】
【０００６】
上記の課題を解決するための第１の考案は、平面視ほぼ矩形状で、一端の内側上面から正面中間部に向けて斜辺部を形成し、前記斜辺部の最下点から一端の端部までを緩斜面とし、前記端部から斜辺部の最下点中央に向けてＶ字状の切り込みを設けると共に、その終端部から斜辺部には半円状の溝を延設し、他端の端部ほぼ中間部から下面内側に向けて傾斜面を形成し、その傾斜面の中央部から前記斜辺部の内側中央近傍まで挿通孔を穿設し、正面ほぼ中央近傍には上面から下面に細巾のスリットを垂設すると共に、正面の他端寄りに半円垂直状の溝を上面から傾斜面に設け、前記スリットと溝のほぼ中間には円形穴を穿設した、本体部と、前記本体部のスリットに挿着される、平面視ほぼＬ字状の金属板と、前記本体部の挿通孔及び円形穴に装着される、永久磁石と、よりなることを特徴としている。
【０００７】
第２の考案は、請求項１記載の釘打ち補助具において、前記本体部が、軽量、硬質の合成樹脂材又は木材からなることを特徴としている。
【０００８】
第３のの考案は、請求項１ないし請求項２記載の釘打ち補助具において、前記本体部に設けられたＶ字状切り込みの終端部及び斜辺部の内側中央近傍まで穿設された挿通孔の先端部は、垂直となっていることを特徴としている。
【考案の効果】
【０００９】
本考案に係る、釘打ち補助具は、上記の構成になるから以下の効果を奏する。即ち、第１及び第３の考案によれば、本体部の端部から斜辺部の最下点中央に向けてＶ字状の切り込みを設けているので打ち込む釘を、釘打ち補助具内に簡易に着装でき、また切り込みの終端部から斜辺部には半円状の溝を延設し、斜辺部の内側中央近傍の挿通孔には永久磁石が装着されているので、その磁力により短寸の鉄製釘は、簡易に終端部に垂直かつ安定して立設される。また鉄製釘はもちろん、非鉄製の釘、例えばステンレス釘、真鍮釘、銅製釘等は、本体部のスリットに挿着されたＬ字状の金属板と円形穴に装着された永久磁石とにより、正面の他端寄りに設けた半円垂直状の溝内に挿入すれば、各種の釘は、円滑に垂直かつ安定して立設される。さらにＬ字状の金属板は、本体部のスリットに挿着されているだけなので、着脱に簡便である。
【００１０】
第１及び第２の考案によれば、本体部は、軽量、硬質の合成樹脂材又は木材からなり、構造が簡単なので、製作が容易であるため低コストとなり、かつ携行に至便であり、子供、高齢者又は女性等でも、家庭大工の基本である釘打ち作業が簡便にできる等の効果がある。
【考案を実施するための最良の形態】
【００１１】
以下、本考案に係る、釘打ち補助具の好適な実施形態について図面を参照しながら説明する。図１は、本考案の釘打ち補助具Ａの分解斜視図、図２は、図１の状態を１８０度転回させた状態の斜視図、図３は使用状態を説明するための、図１における３−３線断面図である。
【００１２】
図１に示すように、本考案の釘打ち補助具（以下、補助具Ａという）は、ほぼ矩形状をなし、１は上面、２は下面、３は正面で、４は補助具Ａの一端側１ａに形成された斜辺部で、５は斜辺部４の最下点から一端の端部に形成した緩斜面で、６は端部から斜辺部４の最下点中央に向けて設けられたＶ字状の切り込みで、その終端部６ａは垂直とされると共に、その頂部から斜辺部４には半円状の溝４ａが延設されている。
【００１３】
７は、他端側１ｂの端部ほぼ中間部から下面２内側に向けて形成された傾斜面で、その傾斜面７の中央部から斜辺部４の内側中央近傍まで挿通孔８が穿設され、その挿通孔８の先端部８ａは垂直とされており、正面３のほぼ中央近傍には上面１から下面２に細巾のスリット９が垂設され、また正面３の他端側１ｂ寄りに半円垂直状の溝１０が上面から傾斜面７に設けられ、前記スリット９と溝１０のほぼ中間には円形穴１１が穿設されている。
【００１４】
１２は、Ｌ字状の金属板例えば、薄鉄板又はブリキ板等からなり、短辺１２ａはスリット９に押入されると共に、正面３に設けられた円形穴１１に装着される永久磁石１３に吸着されている（図１及び図２参照）。１４は挿通孔８の先端部８ａにその平面部を垂直状に装着される永久磁石である。
【００１５】
図２は、図１の状態を１８０度転回させた状態を示し、鉄製釘はもちろん、特に非鉄製の釘Ｎ、例えばステンレス釘、真鍮釘、銅製釘等の使用に好適で、図２に示すように、
釘Ｎを指先で摘み、本体部の正面３の他端側１ｂに設けた溝１０内に上方から挿入すれば、釘Ｎは金属板１２により垂直に保持されるので、釘Ｎの頂部を金槌（ハンマー）等で軽打し、釘Ｎの尖端が板、木材等に刺されているのを確認後、釘打ち補助具Ａを矢印Ｐの方向にけん引すれば金属板１２は釘Ｎの幅程度開く。釘Ｎから補助具Ａを除去して、釘Ｎは板、木材等に完全に打ち込まれる。
【００１６】
図３は、鉄製釘の好適な使用態様の一例を説明する断面図で、鉄製釘Ｎ’は、斜辺部４の中央に設けられた半円状の溝４ａに添ってＶ字状の切り込み６の終端部６ａに滑落し、挿通孔８の先端部８ａに装着された永久磁石１４の磁力で、垂直に保持されるので、釘Ｎ’の頂部を金槌（ハンマー）等で軽打Ｈし、釘Ｎ’の尖端が板、木材Ｗ等に刺されているのを確認後、補助具Ａを矢印Ｐ’方向にけん引、除去してから、釘Ｎ’は板、木材Ｗ等に完全に打ち込まれる。なお本考案に係る補助具Ａの使用態様に関する図及び説明は、主に平面上に載置した板、木材Ｗを対象としているが、板、木材Ｗが垂直、傾斜等各種態様にも使用可能であることは自明である。
【図面の簡単な説明】
【００１７】
【図１】本考案に係る、釘打ち補助具の分解斜視図である。
【図２】図１の状態を１８０度転回させた状態の斜視図である。
【図３】図１における３−３線断面図である。
【符号の説明】
【００１８】
Ａ                  釘打ち補助具
１                  上面
２                  下面
３                  正面
４                  斜辺部
４ａ                溝
５                  緩斜面
６                  切り込み
６ａ                終端部
７                  傾斜面
８                  挿通孔
８ａ                先端部
９                  スリット
１０                溝
１１                円形穴
１２                金属板
１３                永久磁石
１４                永久磁石
【図１】
0003109327.tif 000003
【図２】
0003109327.tif 000004
【図３】
0003109327.tif 000005